(57)【特許請求の範囲】
【請求項１】
第１の情報信号と、この第１の情報信号に関連した第１の付加情報信号を第１の放送手段を介して伝送する第１のステップと、
第２の情報信号と、上記第１の付加情報信号に関連した第２の付加情報信号を第２の放送手段を介して伝送する第２のステップとを有し、
上記第１の付加情報信号中には、上記第２の付加情報信号を参照するための参照情報が含まれ、
上記第２のステップでは、
特定のデータストリームにおける上記第２の情報信号のエリアの一部に上記第２の付加情報信号が完結するように多重して上記第２の放送手段を介して伝送する情報信号の伝送方法。
【請求項２】
上記第１および第２の放送手段は、衛星波、地上波などを取り扱う情報ネットワークである請求項１記載の情報信号の伝送方法。
【請求項３】
上記第１の情報信号は放送衛星を使用したＢＳディジタル信号であり、上記第２の情報信号は通信衛星を使用したＣＳディジタル信号であり、これらの情報信号は映像信号、音声信号、データ信号の何れかである請求項１記載の情報信号の伝送方法。
【請求項４】
上記第１の付加情報信号は、上記第１の情報信号に関する電子番組データである請求項１記載の情報信号の伝送方法。
【請求項５】
上記第２の付加情報信号は、上記第１の付加情報に対する詳細情報である請求項４記載の情報信号の伝送方法。
【請求項６】
上記参照情報は、上記第２の付加情報信号にリンクするためのリンク記述子である請求項１記載の情報信号の伝送方法。
【請求項７】
上記リンク記述子は、記述リンクタグの他に、上記情報ネットワークにリンクするためのネットワーク識別符号や、その情報ネットワークのトランスポートストリームを指定する識別符号である請求項６記載の情報信号の伝送方法。
【請求項８】
第１の放送手段を介して伝送される第１の情報信号および上記第１の情報信号に関連した第１の付加情報信号と、第２の放送手段を介して伝送される第２の情報信号および上記第１の付加情報信号に関連した第２の付加情報信号とを受信する第１のステップと、
上記第１の情報信号の受信状態のとき、上記第１の付加情報信号中に挿入された参照情報を検出して、上記第２の情報信号中に挿入された第２の付加情報信号を参照する第２のステップとを有し、
上記第１のステップでは、
特定のデータストリームにおける上記第２の情報信号のエリアの一部に完結するように多重された上記第２の付加情報信号を上記第２の放送手段を介して受信する情報信号の受信方法。
【請求項９】
上記第１および第２の放送手段は、衛星波、地上波などを取り扱う情報ネットワークである請求項８記載の情報信号の受信方法。
【請求項１０】
上記第１の情報信号は放送衛星を使用したＢＳディジタル信号であり、上記第２の情報信号は通信衛星を使用したＣＳディジタル信号であり、これらの情報信号は映像信号、音声信号、データ信号の何れかである請求項８記載の情報信号の受信方法。
【請求項１１】
上記第１の付加情報信号は、上記第１の情報信号に関する電子番組データである請求項８記載の情報信号の受信方法。
【請求項１２】
上記第２の付加情報信号は、上記第１の付加情報に対する詳細情報である請求項８記載の情報信号の受信方法。
【請求項１３】
上記参照情報は、上記第２の付加情報信号にリンクするためのリンク記述子である請求項８記載の情報信号の受信方法。
【請求項１４】
上記リンク記述子は、記述リンクタグの他に、上記情報ネットワークにリンクするためのネットワーク識別符号や、その情報ネットワークのトランスポートストリームを指定する識別符号である請求項１３記載の情報信号の受信方法。
【請求項１５】
第１の放送手段を介して伝送される第１の情報信号および上記第１の情報信号に関連した第１の付加情報信号と、第２の放送手段を介して伝送される第２の情報信号および上記第１の付加情報信号に関連した第２の付加情報信号とを受信できる受信装置であって、上記第１および第２の情報信号を受信すると共に特定のデータストリームにおける上記第２の情報信号のエリアの一部に完結するように多重された上記第２の付加情報信号を受信する受信部と、受信した上記第１および第２の情報信号と、第１および第２の付加情報信号を分離する分離化部と、分離した第１および第２の付加情報信号を処理する信号処理部とで構成され、上記第１の付加情報信号中には上記第２の付加情報信号を参照するための参照情報が含まれ、上記第１の付加情報信号を受信した後に、上記参照情報に基づき上記第２の付加情報信号を受信する情報信号の受信装置。
【請求項１６】
上記第１および第２の放送手段は、衛星波、地上波などを取り扱う情報ネットワークである請求項１５記載の情報信号の受信装置。
【請求項１７】
上記第１の情報信号は放送衛星を使用したＢＳディジタル信号であり、上記第２の情報信号は通信衛星を使用したＣＳディジタル信号であり、これらの情報信号は映像信号、音声信号、データ信号の何れかである請求項１５記載の情報信号の受信装置。
【請求項１８】
上記第１の付加情報信号は、上記第１の情報信号に関する電子番組データである請求項１５記載の情報信号の受信装置。
【請求項１９】
上記第２の付加情報信号は、上記第１の付加情報に対する詳細情報である請求項１５記載の情報信号の受信装置。
【請求項２０】
上記参照情報は、上記第２の付加情報信号にリンクするためのリンク記述子である請求項１５記載の情報信号の受信装置。
【請求項２１】
上記リンク記述子は、記述リンクタグの他に、上記情報ネットワークにリンクするためのネットワーク識別符号や、その情報ネットワークのトランスポートストリームを指定する識別符号である請求項２０記載の情報信号の受信装置。
【発明の詳細な説明】
【０００１】
【発明の属する技術分野】
この発明は、例えばＣＳディジタル放送とＢＳディジタル放送のように異なる伝送媒体を利用して、電子番組データなどの付加情報信号を送信する情報信号の送信方法、受信方法およびその受信装置に関し、情報信号の帯域を犠牲にすることなく、より多くの付加情報信号をより短い時間で伝送できるようにしたものである。
【０００２】
詳しくは、異なる伝送媒体を介して伝送される第１および第２の情報信号であって、第１の情報信号にはこれに関連した電子番組データなどの第１の付加情報信号が挿入され、第２の情報信号には第１の付加情報信号に関連した詳細情報などの第２の付加情報信号が挿入されると共に、第１の付加情報信号には第２の付加情報信号を参照するための参照情報を挿入することによって、この参照情報に基づいて異なる伝送媒体を介して伝送される第２の付加情報信号を参照できるようにしたものである。
【０００３】
【従来の技術】
近年、ディジタルテレビジョン放送として通信衛星ＣＳ（Communication Satellite）ディジタル放送が実用化されている。また、放送衛星を利用したＢＳ（Broadcasting Satellite）ディジタル放送や、地上波ディジタル放送が実用化されようとしている。ディジタル放送では、高画質で、多チャンネルの映像音声サービスが可能になるほか、付加的なデータを送信することによりさまざまなサービスを視聴者に提供することができる。
【０００４】
代表的な例として、ＥＰＧ（Electronic Program Guide：電子番組ガイド）がある。ＥＰＧデータによって数日先までの番組表や個々の番組の内容に関する情報が提供される。このＥＰＧデータを利用すると、テレビ画面上に番組表を表示することが出来、さらにその番組表の上で直接選局やチャネル予約といった操作をすることができる。各々の番組については、あらすじや出演者などの番組紹介情報を表示することも可能である。
【０００５】
図６は、受信装置の表示部（ディスプレイ）上に表示されるＥＰＧデータに基づいて作成された番組表の一例を示す。この例は、横軸を時間軸とし、縦軸をチャンネル番号としたものである。すなわち、この番組表には日付欄７１、時間表示欄７２およびチャンネル表示欄７３がそれぞれ設けられ、例えば１週間分の番組表を表示することができる。横方向にスクロールすることによって、表示される番組表の時間、日付を変更することができ、縦方向にスクロールすることによってチャンネル番号を変更できる。
【０００６】
図７は、ＥＰＧデータを伝送する方法の一例を示す。この例では、ＥＰＧデータがセクションと称される単位に分割され、ＥＰＧデータの情報量により任意のセクション数が設定される。図７の例では１００セクションで１つのＥＰＧデータ（例えば１週間分のＥＰＧデータ）を構成した例である。
【０００７】
１つのセクションは、図８に示すように、テーブルＩＤと、バージョン番号のデータと、セクション番号のデータと、最終セクション番号のデータと、実データ（実際の番組データ）と、誤り訂正符号ＣＲＣなどで構成され、１セクションのデータ量が予め決められている。このように構成される１つのセクションのデータが所定量のデータ毎にパケット化されて、そのパケットが映像データや音声データなどに多重化される。ＥＰＧデータは、そのトランスポートストリーム（ＴＳストリーム）上で繰り返し送信される。
【０００８】
図７の例では、セクション番号１のデータからセクション１００のデータまでの１単位（例えば１週間分）のＥＰＧデータが伝送されると、再びセクション番号１から送信が繰り返される。１組のＥＰＧデータを伝送するのに要する時間は、ＥＰＧデータのデータ量によって異なるが、例えば最短で数秒、最も長い場合で数十分が必要である。
【０００９】
受信側では、ＥＰＧデータの多重化されているＴＳストリームを受信することによってＥＰＧデータを取得できる。しかし受信開始時には、少なくとも１単位のＥＰＧデータが伝送される周期が経過した後でないと、全てのデータが得られないので、まとまった１つの番組表を表示できない。
【００１０】
上述したＥＰＧデータの送信方法は、大きく分けて２つの方法が考えられる。第１の方法を図９に示す。衛星ディジタル放送では、ＴＳストリームとトランスポンダ（衛星中継器）とが１対１に対応する。通常のＴＳストリームには、複数の番組に関する映像・音声・データなどと共に、最低限のＥＰＧデータが多重されている。このＥＰＧデータには、例えばＰＦＥｌＴ（Present Following Event Information Table）と称されるものが含まれる。ＰＦＥｌＴには、現在の番組と次の番組に関する出演者、あらすじ、年齢制限、視聴料金等の情報が含まれる。
【００１１】
これらのＥＰＧデータを多重化しても、映像・音声・データの帯域を圧追しないように、ＥＰＧデータの伝送レートが低く設定される。しかしながら、ＥＰＧデータを得るためにＴＳストリームを切り換える必要がないので、映像・音声を出カしながら番組表を表示することができる。例えば受信中の番組の表示画面を親画面とし、ＰＦＥｌＴデータによる番組情報を子画面とする２画面表示ができる。
【００１２】
一方、詳細なＥＰＧデータ（例えば１週間分のＥＰＧデータ）は、データ量が多いために、各ＴＳストリームに多重化しないで、ある一つのＴＳストリーム（図９ではＴＳストリームＴＳ＃Ｎ）に多重化する。大量のデータを高速に送るために、ＥＰＧデータの送信レートを高く設定すれば、受信装置側では例えば数秒の待ちの時間で全てのＥＰＧデータを取得できる。図６に示す番組表は、１週間分のＥＰＧデータに基づくものである。
【００１３】
通常のＴＳストリーム（ＴＳストリームＴＳ＃１，ＴＳストリームＴＳ＃２，・・・）の受信中に、詳細なＥＰＧデータを取得したい場合は、受信中のＴＳストリームからＴＳストリームＴＳ＃Ｎに切り換える。この方法により、どのＴＳストリームを受信中でも瞬時にＥＰＧデータを取得することができ、メモリにＥＰＧデータを記憶しておく必要がない。この方法は、実際にＣＳディジタル放送にて行われている。
【００１４】
ＥＰＧデータを伝送する第２の方法を図１０に示す。この方法では、第１の方法のように、ＥＰＧデータを高い伝送レートで送信する特別なＴＳストリームを持たず、全てのＴＳストリームにおいて、ほぼ同じ内容のＥＰＧデータを送信する。この場合、番組の映像・音声・データの帯域を圧迫しないようにするためには、ＥＰＧデータの伝送レートを低くしなければならない。
【００１５】
その結果、ＴＳストリームを切り換える必要はないが、その反面例えば１週間分の番組に対応する全てのＥＰＧデータを取得するには例えば数分〜数十分の時間を要する。そのため、ユーザの要求に応じて直ぐに番組表を表示するためには、受信装置内にメモリを用意し、長い時間をかけて取得したＥＰＧデータをこのメモリに蓄えておくことが必要である。したがって受信装置側では全ＥＰＧデータを格納できる容量のメモリを必要とする。この方法は、近い将来ＢＳディジタル放送で採用される予定である。
【００１６】
ＢＳディジタル放送が開始されることを考慮すると、受信装置としてはＢＳディジタル放送とＣＳディジタル放送の両方を受信できるＳＴＢ（セットトップボックス）である方が便利である。
【００１７】
【発明が解決しようとする課題】
ところで、上述したようにＢＳディジタル放送では、伝送されるＥＰＧデータの中には数日分の番組表を表示できるデータの他に、１週間分の詳細な番組表を表示できるデータも含まれている。この１週間分の詳細情報としては番組のジャンルや番組のあらすじ（内容）などであるが、視聴者は場合によってはこれ以外の情報を知りたい場合がある。
【００１８】
例えば、映画の主演男優や主演女優などの顔写真、そのプロフィール、映画監督が最近手がけた作品の概要、シリーズ番組の放送日時などの関連情報、等々視聴者が取得したい情報は沢山ある。これらの情報を１週間分の詳細情報の一部としてＢＳディジタル放送のＥＰＧデータに挿入すると、まとまった１組の番組表を得るには上述した時間よりもさらに長い時間を待たなければならない。しかし、この伝送方法は不可能に近い。視聴者の望みを叶えるには別の手段を用いて伝送する必要がある。
【００１９】
そこで、この発明はこのような従来の課題を解決したものであって、このような番組の更なる付加情報を別の伝送媒体を介して伝送することに加え、伝送されたこの伝送信号との間でリンクするように伝送系を構築することによって、より短時間に付加情報を取得できるようにした情報信号の伝送方法、受信方法および受信装置を提案するものである。
【００２０】
【課題を解決するための手段】
上述の課題を解決するため、請求項１に記載したこの発明に係る情報信号の伝送方法では、第１の情報信号と、この第１の情報信号に関連した第１の付加情報信号を第１の放送手段を介して伝送する第１のステップと、第２の情報信号と、上記第１の付加情報信号に関連した第２の付加情報信号を第２の放送手段を介して伝送する第２のステップとを有し、上記第１の付加情報信号中には、上記第２の付加情報信号を参照するための参照情報が含まれ上記第２のステップでは特定のデータストリームにおける上記第２の情報信号のエリアの一部に上記第２の付加情報信号が完結するように多重して上記第２の放送手段を介して伝送する。
【００２１】
請求項８に記載したこの発明に係る受信方法では、第１の放送手段を介して伝送される第１の情報信号および上記第１の情報信号に関連した第１の付加情報信号と、第２の放送手段を介して伝送される第２の情報信号および上記第１の付加情報信号に関連した第２の付加情報信号とを受信する第１のステップと、上記第１の情報信号の受信状態のとき、上記第１の付加情報信号中に挿入された参照情報を検出して、上記第２の情報信号中に挿入された第２の付加情報信号を参照する第２のステップとを有し、上記第１のステップでは、特定のデータストリームにおける上記第２の情報信号のエリアの一部に完結するように多重された上記第２の付加情報信号を上記第２の放送手段を介して受信する。
【００２２】
請求項１５に記載したこの発明に係る受信装置では、第１の放送手段を介して伝送される第１の情報信号および上記第１の情報信号に関連した第１の付加情報信号と、第２の放送手段を介して伝送される第２の情報信号および上記第１の付加情報信号に関連した第２の付加情報信号とを受信できる受信装置であって、上記第１および第２の情報信号を受信すると共に特定のデータストリームにおける上記第２の情報信号のエリアの一部に完結するように多重された上記第２の付加情報信号を受信する受信部と、受信した上記第１および第２の情報信号と、第１および第２の付加情報信号を分離する分離化部と、分離した第１および第２の付加情報信号を処理する信号処理部とで構成され、上記第１の付加情報信号中には上記第２の付加情報信号を参照するための参照が含まれ、上記第１の付加情報信号を受信した後に、上記参照情報に基づき上記第２の付加情報信号を受信する。
【００２３】
伝送媒体を共に衛星波としたときで、しかも第１の伝送媒体をＢＳディジタル放送波とし、第２の伝送媒体をＣＳディジタル放送波として説明すると、第１の情報信号はＢＳディジタル放送信号となり、第２の情報信号はＣＳディジタル放送信号となる。そして、付加情報信号をＥＰＧデータとしたときには、ＢＳディジタル放送信号にもＣＳディジタル放送信号にも、それぞれの放送番組に関連したＥＰＧデータが多重されて伝送される。
【００２４】
この発明の実施形態では、ＢＳディジタル放送信号のＥＰＧデータ（第１のＥＰＧデータ）のさらに詳細情報である第２のＥＰＧデータを、ＣＳディジタル放送信号に多重する。ＢＳディジタル放送信号に多重される第１のＥＰＧデータの中には第２のＥＰＧデータを参照するための情報として、リンク記述子を挿入する。
【００２５】
リンク記述子は、どの伝送媒体の、どのトランスポートストリームの、どのコンテンツを参照するのかを特定する複数の識別符号（ＩＤ）で構成されているので、上述した例ではこのリンク記述子によってＣＳディジタル放送信号のうちの特定のＴＳストリームに多重された特定のコンテンツを指定できる。
【００２６】
したがってこのリンク記述子を参照するように自動的若しくは手動で指定するだけで、第２のＥＰＧデータを取得できる。第２のＥＰＧデータは全てのトランスポートストリームに分散して多重されているのではなく、特定のトランスポートストリーム中に多重されているから、第２のＥＰＧデータを瞬時に取得し、取得した情報を番組表の一部として表示部に即座に表示できる。また第２のＥＰＧデータの全てをメモリに保持しておく必要はない。
【００２７】
【発明の実施の形態】
以下、この発明の一実施の形態について、図面を参照して説明する。以下に説明する実施形態は、この発明をディジタル衛星放送システムに適用したものである。
【００２８】
この発明の概要をまず説明する。この発明では一方の伝送媒体では多重不可能な追加的な情報を、伝送帯域を確保できる他の伝送媒体を利用して多重伝送しようとするものである。その好適な例としては伝送媒体として何れも衛星波であって、第１の伝送媒体をＢＳディジタル放送波に選んだ場合には、伝送帯域を確保し易い伝送媒体（第２の伝送媒体）としてはＣＳディジタル放送波を挙げることができる。したがって第１の情報信号はＢＳディジタル放送信号となり、第２の情報信号はＣＳディジタル放送信号となる。付加情報信号はそれぞれのディジタル放送信号に関連した番組情報などであって、以下の例では電子番組データであるＥＰＧデータを付加情報信号として説明する。
【００２９】
ＥＰＧデータは、ＣＳディジタル放送信号にも、これから放送を予定しているＢＳディジタル放送信号にも、それぞれの放送番組に関連した情報としてこれらディジタル放送信号中に多重されて伝送される。
【００３０】
この発明では、ＢＳディジタル放送信号のＥＰＧデータ（第１のＥＰＧデータ）のさらに詳細情報である第２のＥＰＧデータ（第１のＥＰＧデータと重複しないデータ）を、ＣＳディジタル放送信号に多重する。ＢＳディジタル放送信号に多重される第１のＥＰＧデータの中には第２のＥＰＧデータを参照するための情報として、リンク記述子を挿入する。
【００３１】
このリンク記述子を参照するように自動的若しくは手動で指定するだけで、第２のＥＰＧデータを取得できる。第２のＥＰＧデータは、全てのトランスポートストリームに分散して多重するのではなく、特定のトランスポートストリーム中に多重される。
【００３２】
その結果、この特定のトランスポートストリーム中の第２のＥＰＧデータをデコードするだけで、第２のＥＰＧデータの全てを取得できるから、第２のＥＰＧデータを瞬時に取得し、取得した情報を番組表の一部として表示部に即座に表示できる。第２のＥＰＧデータは分散多重ではなく、いわば集中多重であるため第２のＥＰＧデータを保存するための大容量メモリは必要ない。
【００３３】
図１は、ディジタル衛星放送システムの一般的な構成を示す。放送局はＢＳディジタル放送信号を取り扱うＢＳ放送局１０ＢＳと、ＣＳディジタル放送信号を取り扱うＣＳ放送局１０ＣＳのように２系統使用される。両放送局１０ＢＳ、１０ＣＳともほぼ同一構成であるのでＢＳ放送局１０ＢＳについてその概略構成を説明する。
【００３４】
このＢＳ放送局１０ＢＳでは、放送番組を構成する映像データＶと音声データＡをＭＰＥＧ２（Moving Picture Experts Group Phase 2）等の符号化方式でエンコードするエンコーダ１11〜１n1'・・・，１m1〜１mnを有する。ｎ個のエンコーダの出力が多重化部２1〜２mにおいて、それぞれ多重化される。多重化部２1〜２mに対しては、ＥＰＧ生成送出装置３1〜３mからのＥＰＧデータが供給され、ＥＰＧデータが映像・音声データに対して多重化される。ＴＳストリームに対するＥＰＧデータ（ＢＳ−ＥＰＧデータ）の多重化例を図２Ｂに示す。
【００３５】
ＭＰＥＧ２のシステムでは、各データが１８８バイト長のパケットに分割され、パケットが時分割多重される。多重化部２1からはトランスポートストリーム（ＴＳストリーム）として出力される。図１では、ｍ個のＴＳストリームＴＳ1〜ＴＳmが生成される。これらのＴＳストリームＴＳ1〜ＴＳmがそれぞれ変調器４1〜４mにて変調される。そして、トランスポンダ（衛星中継器）の数に等しいｍ個のトランスポートストリームＴＳ1〜ＴＳmが同時に放送衛星（ＢＳ）６Ｂへアップリンクされる。
【００３６】
他方のＣＳ放送局１０ＣＳでも同様な処理がなされて複数のＴＳストリームが通信衛星（ＣＳ）６Ｃにアップリンクされる。したがって、このＣＳ放送局１０ＣＳにも複数のＴＳストリームを生成するための複数のデータ処理系が設けられているが、図では１系統のみを例示してある。
【００３７】
このデータ処理系でも、放送番組を構成する映像データＶと音声データＡをＭＰＥＧ２によるの符号化方式でエンコードするエンコーダ１５11〜１５nhを有する。ｈ個のエンコーダ１５11〜１５nhの出力が多重化部１６1において多重化される。多重化部１６1にはＥＰＧ生成送出装置１８1からのＥＰＧデータが供給される。このＥＰＧデータは、図２Ａに示すように、ＣＳディジタル放送信号番組に関連したＥＰＧデータ（ＣＳ−ＥＰＧデータ）である。
【００３８】
この他に、ＢＳ用のＥＰＧ生成送出装置１９1が設けられ、ＢＳディジタル放送信号に多重されたＥＰＧデータに関連した第２のＥＰＧデータ（ＢＳ用追加ＥＰＧデータ）が多重化部１６1で、特定のＴＳストリームの画像・音声データに多重化される。図２Ａ，Ｂの場合では、２番目のＴＳストリームＴＳ＃２における映像等のエリアの一部を多重エリアとし、ここに第２のＥＰＧデータが多重される。第２のＥＰＧデータはこのＴＳストリームＴＳ＃２に多重されたデータで完結するように挿入される。つまり複数のＴＳストリームに跨って分散多重されるのではなく、いわば単一ＴＳストリームへの集中多重である。
【００３９】
第２のＥＰＧデータは、第１のＥＰＧデータであるＢＳ−ＥＰＧデータで表現される番組表では表示しきれない情報であって、映画に出演している俳優、スポーツ選手などの顔写真（動画若しくは静止画像）、そのプロフィール、映画監督の最近手がけた作品、アカデミー賞作品の解説など、その放送番組に関連した詳細情報である。もちろん、第１のＥＰＧデータにもその番組のタイトルやジャンル、番組の内容などの情報が盛り込まれているので、これらの情報とは重複しない詳細情報が第２のＥＰＧデータとして利用される。付加情報は、番組を提供する側のコマーシャル映像などであってもよく、その内容は制限されない。
【００４０】
多重化部１６1で生成された複数のＴＳストリームＴＳ1〜ＴＳmがそれぞれ変調器１７1で変調されたのち、通信衛星６Ｃにアップリンクされる。
【００４１】
衛星６Ｂ，６Ｃからの信号は共通の受信アンテナ３１で受信され、受信装置内の受信機（ＳＴＢ）３２において処埋される。受信機３２では、チューナ３３によって、何れかのネットワークであるＢＳディジタル放送信号か若しくはＣＳディジタル放送信号が受信され、さらにそのうちの所望のＴＳストリームが選局される。その後ＴＳストリームは復調器３４に供給される。復調器３４の出力が分離化部３５に供給される。
【００４２】
ここで、ＣＳディジタル放送の変調方式は、ＱＰＳＫ（Quadrature Phase Shift Keying）変調が使用されている。ＢＳディジタル放送の変調方式としては、８ＰＳＫ変調が採用される予定である。これらの変調方式の間では、復調器３４としては、かなりの部分で構成を共通化できる。
【００４３】
分離化部３５では、各パケットに含まれるパケットＩＤ（ＰＩＤ）を参照して、所望のパケットを分離する。分離化部３５からの映像・音声データがデコーダ３６に供給され、デコーダ３６において、圧縮が解かれる。デコーダ３６から映像データおよび音声データが表示部および音声出力部側（何れも図示しない）に出力される。
【００４４】
一方、分離化部３５で分離されたＥＰＧデータがＥＰＧデータ処理部３７に供給される。ＥＰＧデータ処理部３７は、受信したＥＰＧデータに基づいてＥＰＧ表示用のデータを生成する。
【００４５】
ＥＰＧデータのうちＢＳディジタル放送信号用のＢＳ−ＥＰＧデータはいったん記憶部３８に供給されて、当日分を含めて１週間分の番組表などを表示するための一連のＥＰＧデータが蓄えられる。その後この例では映像の重畳部３９を介して表示部に供給される。したがって表示部の画面上には図６に示すような電子番組表が子画面として表示される。
【００４６】
これに対してＣＳディジタル放送信号用のもの、つまりＣＳ−ＥＰＧデータの場合には、ＥＰＧデータ記憶部３８を介すことなく映像重畳部３９で映像データに重畳されてから表示部に供給される。ＣＳ−ＥＰＧデータを表示する場合にはＢＳディジタル放送信号からＣＳディジタル放送信号に切り替えるため、ＢＳ映像は映し出されない。
【００４７】
なお、通常、受信機３２には、スクランブルを解くためのデスクランブラが設けられ、ペイパービューのような有料視聴システムが構成される。
【００４８】
ところで、ＢＳディジタル放送信号に多重されたＥＰＧデータの中にはＣＳディジタル放送信号中に多重された第２のＥＰＧデータを参照するための情報（参照情報）が挿入されている。
【００４９】
ＥＰＧデータを伝送するフォーマットとしては、ヨーロッパで採用されているＤＶＢ−ＳＩ、ＣＳ放送で採用されているＤＭ−ＳＩやＪＥＴ、ＢＳディジタル放送で採用しようとしているＡＲＩＢ ＳＴＤ−Ｂ１０などがあり、何れの伝送フォーマットでも適用できる。伝送フォーマットによっては伝送するＥＰＧデータの種類や内容が若干相違するが、どの伝送フォーマットでも第１のＥＰＧデータを参照するための参照情報としてのリンク記述子を新たに追加する。このリンク記述子を追加することでフォーマット内容の拡張が可能になる。
【００５０】
図３はその一例を示す。図３ＡのようにＥＰＧデータテーブルの中にリンク記述子を追加する。このリンク記述子はＳＤＴ（Service Description Table）やＥＩＴ（Event Information Table）の何れか、例えばＥＩＴテーブルに記述することができる。
【００５１】
リンク記述子は、どの伝送媒体の、どのトランスポートストリームの、どのコンテンツを参照するのかを特定する複数の識別符号（ＩＤ）で構成する。したがってリンク記述子は、図３Ｂのように記述子タグの他に、情報ネットワーク識別符号（ＩＤ）、トランスポートストリームＩＤおよびコンテンツＩＤで構成されている。
【００５２】
ここで、記述子タグはリンク記述子を特定するものである。ネットワークＩＤは、情報ネットワークを識別するためのもので、上述した例ではＣＳ衛星放送を特定するためのＩＤである。トランスポートストリームＩＤは、追加情報である第２のＥＰＧデータが流れているトランスポートストリームを特定するためのＩＤである。図２の例ではＴＳストリームＴＳ＃２を指定することになる。コンテンツＩＤは、追加されたＥＰＧデータのどのデータを取得するのかを特定するＩＤである。
【００５３】
このようなリンク記述子をＢＳ−ＥＰＧデータの中に記述することで、ＢＳディジタル放送信号のＥＰＧデータから、ＣＳディジタル放送信号中に多重されている第２のＥＰＧデータを参照することができる。
【００５４】
リンク記述子によってリンク情報を表すのではなく、リンク情報を表すＥＰＧテーブルを作成することでも対応できる。
【００５５】
図４ＡはＢＳディジタル放送信号中に多重されたＥＰＧデータに基づいて作成された番組表の一例を示す。図４Ａは洋画の番組情報が画面４０に表示されている例を示し、ここには番組名、番組の開始および終了時刻の他に、出演者リストとして２名の主演俳優の名前が表示されている。この発明では詳細情報にリンクできるようにするため、例えば俳優表示欄に近接して、リンクしている情報を選択できるエリアが設けられ、ここに例えば詳細と書かれたボタン４２，４４を表示する。
【００５６】
視聴者はこの何れかのボタン４２あるいは４４をカーソルなどを使用してクリックすると、対応するリンク記述子が指定されたことになり、受信機３２は現在受信しているＢＳディジタル放送信号中のＴＳストリームから、別のネットワークであるＣＳディジタル放送信号にその受信状態を切り替える。次に、指定されたＴＳストリーム（図２ではＴＳストリームＳＴ＃２）に多重されている第２のＥＰＧデータを取得する。取得したＥＰＧデータから表示データを作成して画面４０に表示すると、例えば図４Ｂのような詳細情報（図では顔写真４６とプロフィール４８）が画面４０に表示される。
【００５７】
詳細情報は自動的に取得するように構成することも可能である。この場合には図４Ａのようなクリック用ボタン４２，４４の表示は不要になる。
【００５８】
実際にどのように第２のＥＰＧデータを取得するかを図５に示す詳細情報表示のためのフローチャートを参照して説明する。
【００５９】
図５において、詳細情報の表示要求があると、対応するリンク記述子にあるネットワークＩＤからそのネットワーク（例ではＣＳディジタル放送系）に切り替える（ステップ５１，５２）。その後リンク記述子にあるトランスポートストリームＩＤからそのトランスポートストリームを選局する（ステップ５３）。そして、次にはリンク記述子にあるコンテンツＩＤを参照してターゲットとなるＥＰＧデータを取得し、表示データとした上で画面４０上に表示する（ステップ５４，５５）。
【００６０】
元の番組表に戻りたいときには、画面４０に表示されているツールバーのアイコン若しくはメニュー項目をクリックすればよく、こうすることによって再び元のネットワーク（ＢＳディジタル放送系）が選局されて元の番組および番組表が画面４０上に表示される。
【００６１】
このようにこの発明の実施形態では、ＢＳディジタル放送信号とこれに関連したＥＰＧデータをＢＳ衛星波を介して伝送し、ＣＳディジタル放送信号とＢＳディジタル放送信号に関連した第２のＥＰＧデータをＣＳ衛星波を介して伝送するようにしたものである。こうすることによって、ＢＳディジタル放送信号の帯域を犠牲にすることなく、放送番組に関連したより多くの付加情報（第２のＥＰＧデータ）を伝送できる。
【００６２】
また、ＢＳディジタル放送信号中に挿入されたＥＰＧデータの中に第２のＥＰＧデータを参照するためのリンク記述子を記述しておくことによって、受信装置側ではＢＳディジタル放送信号とＣＳディジタル放送信号とを受信できるように構成しておくだけで、このリンク記述子から第２のＥＰＧデータを簡単に取得できる。
【００６３】
そして、ＣＳディジタル放送信号中の１つのＴＳストリームを利用して伝送することによって、この第２のＥＰＧデータを瞬時に取得して表示することができる。もちろん、第２のＥＰＧデータの全てを保存できる容量をもったメモリ手段も不要になる。
【００６４】
上述した実施形態では、共用受信機を例示したが、ＢＳディジタル放送系とＣＳディジタル放送系をそれぞれ独立して受信できるようなＳＴＢ構成のものを利用することもできる。
【００６５】
上述した実施形態は、ＢＳディジタル放送とＣＳディジタル放送を受信する場含に対してこの発明を適用したものである。伝送媒体としては、これら以外に、地上波ディジタル放送、ディジタルＣＡＴＶのようにＥＰＧ伝送方法が異なる複数の伝送媒体を１つのチューナで受信する場合にも適用することができる。配信される情報としては、映像・音声データに限らず、音声のみ、プログラムデータ等のデータのみであっても良い。さらに、ＥＰＧデータとしては、時間とチャンネルとを２軸とする番組構成に限定されず、種々の画面構成のものを採用できる。すなわち、配信されるデータの予定が示されるものであれば良い。
【００６６】
【発明の効果】
以上説明したように、この発明に係る情報信号の伝送方法、受信方法および受信装置では、一方の伝送媒体では多重不可能な追加的な情報を、伝送帯域を確保できる他の伝送媒体とリンクさせながら、この伝送媒体を利用して多重伝送し、これをそれぞれ受信して付加情報を画面に表示できるようにしたものである。
【００６７】
これによれば、一方の伝送媒体の伝送帯域を制限することなく大量の付加情報を伝送することができると共に、この付加情報も瞬時に取得できるから、付加情報を即座に表示することができる。また大量の付加情報を伝送する場合でも１つのトランスポートストリームの一部に多重したので、付加情報量に対応した大容量のメモリを備える必要がなくなり、電子部品の削減等によるコストダウンを図ることができるなどの特徴を有する。
【図面の簡単な説明】
【図１】この発明を適用できる衛星ディジタル放送のシステムの一般的構成を示すブロツク図である。
【図２】付加情報信号の伝送形態例を示す説明図である。
【図３】付加情報信号中に挿入された参照情報の一例を示すフォーマットである。
【図４】番組表とこれに関連した詳細情報の一表示例を示す図である。
【図５】リンク記述子を含むＥＰＧデータの処理例を示すフローチャートである。
【図６】従来のＥＰＧの例を説明するための略線図である。
【図７】ＥＰＧデータの構成例を示す略線図である。
【図８】ＥＰＧデータの構成例をより詳細に示す略線図である。
【図９】従来のＥＰＧデータの送信方法の一例を示す略線図である。
【図１０】従来のＥＰＧデータの送信方法の他の例を示す略線図である
【符号の説明】
３，８・・・ＥＰＧデータ生成送出装置、６Ｂ，６Ｃ・・・衛星、１０ＢＳ・・・ＢＳディジタル放送局、１０ＣＳ・・・ＣＳディジタル放送局、１９・・・第２のＥＰＧデータ生成送出装置、３２・・・受信機、３３・・・ＢＳ／ＣＳ共用チューナ、３７・・・ＥＰＧデータ処理部、３８・・・ＥＰＧデータ記憶部
【図１】
0004314682.tif 000002
【図２】
0004314682.tif 000003
【図３】
0004314682.tif 000004
【図４】
0004314682.tif 000005
【図５】
0004314682.tif 000006
【図６】
0004314682.tif 000007
【図７】
0004314682.tif 000008
【図８】
0004314682.tif 000009
【図９】
0004314682.tif 000010
【図１０】
0004314682.tif 000011